(57)【要約】本開示の実施例は、表示方法及び装置、電子機器並びに記憶媒体を開示する。前記方法は、第１対象の状態情報を検出するステップと、前記状態情報が、前記第１対象が現れたか消えたことを示す場合、前記状態情報に従ってトリガ条件を満たすか否かを決定するステップと、前記トリガ条件を満たした場合に、前記トリガ条件に対応するトリガイベントに従って、前記第１対象とは独立している第２対象の表示を変更するステップと、を含む。
2021517285.tif 000002
【特許請求の範囲】
【請求項１】
第１対象の状態情報を検出するステップと、
前記状態情報が第１トリガ条件を満たした場合に、前記第１トリガ条件に対応するトリガイベントに従って、前記第１対象とは独立している第２対象の表示を変更するステップと、を含むことを特徴とする表示方法。
【請求項２】
前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含むことを特徴とする請求項１に記載の方法。
【請求項３】
前記状態情報が第１トリガ条件を満たす場合は、
検出された前記第１表示状態情報が、前記第１対象が表示インターフェースに現れることを示す場合に、前記第１トリガ条件を満たしたと決定する場合を含むことを特徴とする請求項２に記載の方法。
【請求項４】
前記状態情報が第１トリガ条件を満たす場合は、
検出された前記収集状態情報が、前記第１対象が収集領域から消えたことを示す場合に、前記第１トリガ条件を満たしたと決定する場合を含むことを特徴とする請求項２に記載の方法。
【請求項５】
前記状態情報が第１トリガ条件を満たす場合は、
前記状態情報が、前記第１対象が所定動作を呈することを示す場合に、前記第１トリガ条件を満たしたと決定する場合を含むことを特徴とする請求項１に記載の方法。
【請求項６】
第１対象の状態情報を検出する前記ステップは、
表示インターフェースに現在表示されている前記第１対象の第２表示状態情報を検出するステップを含み、
前記状態情報が第１トリガ条件を満たした場合に、前記第１トリガ条件に対応するトリガイベントに従って第２対象の表示を変更する前記ステップは、
前記第２表示状態情報が、前記第１トリガ条件を満たしたことを示す場合に、前記第１トリガ条件に対応するトリガイベントに従って前記第２対象の表示を変更するステップを含むことを特徴とする請求項１に記載の方法。
【請求項７】
前記第２表示状態情報が、前記第１トリガ条件を満たしたことを示す場合に、前記第１トリガ条件に対応するトリガイベントに従って前記第２対象の表示を変更する前記ステップは、
前記第２表示状態情報が同期表示トリガ条件を満たした場合に、同期表示トリガイベントに従って前記第１対象と前記第２対象を制御して同期表示させるステップ、及び
前記第２表示状態情報が関連付け表示トリガ条件を満たした場合に、関連付け表示トリガ条件に従って、前記第１対象の表示が特定状態に至ると前記第２対象の表示を開始するステップの中の少なくとも１つを含むことを特徴とする請求項６に記載の方法。
【請求項８】
第１対象の状態情報を検出する前記ステップは、
前記第１対象となる表示デバイスのデバイス状態情報を検出するステップを含み、
前記状態情報が第１トリガ条件を満たす場合は、
前記デバイス状態情報が前記第１トリガ条件を満たす場合を含むことを特徴とする請求項１に記載の方法。
【請求項９】
前記デバイス状態情報は、
前記表示デバイスの現在表示状態を示すデバイス表示状態情報、
前記表示デバイスの現在所在環境を示す環境状態情報、
前記表示デバイスの現在資源状態を示す資源状態情報の中の少なくとも１つを含むことを特徴とする請求項８に記載の方法。
【請求項１０】
前記状態情報が第１トリガ条件を満たした場合に、前記第１トリガ条件に対応するトリガイベントに従って第２対象の表示を変更する前記ステップは、
前記状態情報が前記第１トリガ条件を満たした場合に、前記第１トリガ条件に対応するトリガイベントに従って前記第２対象の表示を一時停止するステップを含み、
前記方法は、
再度検出された前記第１対象の状態情報が前記第１トリガ条件を満たさない場合に、一時停止した前記第２対象を表示し続けるステップを更に含むことを特徴とする請求項１〜９のいずれか一項に記載の方法。
【請求項１１】
前記第１トリガ条件に対応するトリガイベントに従って第２対象の表示を変更する前記ステップは、
前記トリガイベントに従って前記第２対象の表示の終了を繰り上げるステップ、
又は、前記トリガイベントに従って前記第２対象の表示時間を短縮するステップ、
又は、前記トリガイベントに従って前記第２対象の表示時間を延長するステップ、
又は、前記トリガイベントに従って前記第２対象の表示パラメータを調整するステップ、
又は、前記トリガイベントに従って前記第２対象の表示内容を調整するステップ、
又は、前記トリガイベントに従って前記第２対象の消失方式を調整するステップ、
又は、トリガイベントに従って前記第２対象の表示を一時停止するステップを含むことを特徴とする請求項１〜９のいずれか一項に記載の方法。
【請求項１２】
前記第１トリガ条件に対応するトリガイベントに従って第２対象の表示を変更する前記ステップは、
前記第２対象の現在表示されているｎ番目のサブ対象から前記第２対象のｎ＋１番目のサブ対象を表示するように切り替えるように制御するステップを含むことを特徴とする請求項１〜９のいずれか一項に記載の方法。
【請求項１３】
第１対象の状態情報を検出するための検出モジュールと、
前記状態情報が第１トリガ条件を満たす場合を決定するための第１決定モジュールと、
前記状態情報が第１トリガ条件を満たしたことが前記第１決定ユニットによって決定された場合に、前記第１トリガ条件に対応するトリガイベントに従って、前記第１対象とは独立している第２対象の表示を変更するための変更モジュールと、を含むことを特徴とする表示装置。
【請求項１４】
前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含むことを特徴とする請求項１３に記載の装置。
【請求項１５】
前記第１決定モジュールは、具体的には、検出された前記第１表示状態情報が、前記第１対象が表示インターフェースに現れることを示す場合に、前記第１トリガ条件を満たしたと決定するために用いられることを特徴とする請求項１４に記載の装置。
【請求項１６】
前記第１決定モジュールは、具体的には、検出された前記収集状態情報が、前記第１対象が収集領域から消えたことを示す場合に、前記第１トリガ条件を満たしたと決定するために用いられることを特徴とする請求項１４に記載の装置。
【請求項１７】
前記第１決定モジュールは、具体的には、前記状態情報が、前記第１対象が所定動作を呈することを示す場合に、前記第１トリガ条件を満たしたと決定するために用いられることを特徴とする請求項１３に記載の装置。
【請求項１８】
前記検出モジュールは、具体的には、表示インターフェースに現在表示されている前記第１対象の第２表示状態情報を検出するために用いられ、
前記変更モジュールは、具体的には、前記第２表示状態情報が、前記第１トリガ条件を満たしたことを示す場合に、前記第１トリガ条件に対応するトリガイベントに従って前記第２対象の表示を変更するために用いられることを特徴とする請求項１３に記載の装置。
【請求項１９】
前記変更モジュールは、具体的には、前記第２表示状態情報が同期表示トリガ条件を満たした場合に、同期表示トリガイベントに従って前記第１対象と前記第２対象を制御して同期表示させるために用いられ、
又は、
前記変更モジュールは、具体的には、前記第２表示状態情報が関連付け表示トリガ条件を満たした場合に、関連付け表示トリガ条件に従って、前記第１対象の表示が特定状態に至ると前記第２対象の表示を開始するために用いられることを特徴とする請求項１８に記載の装置。
【請求項２０】
前記検出モジュールは、具体的には、前記第１対象となる表示デバイスのデバイス状態情報を検出するために用いられ、
前記第１決定モジュールは、具体的には、前記デバイス状態情報が前記第１トリガ条件を満たしたことを決定するために用いられることを特徴とする請求項１３に記載の装置。
【請求項２１】
前記デバイス状態情報は、
前記表示デバイスの現在表示状態を示すデバイス表示状態情報、
前記表示デバイスの現在所在環境を示す環境状態情報、
前記表示デバイスの現在資源状態を示す資源状態情報の中の少なくとも１つを含むことを特徴とする請求項２０に記載の装置。
【請求項２２】
前記変更モジュールは、具体的には、前記状態情報が前記第１トリガ条件を満たした場合に、前記第１トリガ条件に対応するトリガイベントに従って前記第２対象の表示を一時停止するために用いられ、
前記変更モジュールは、更に、再度検出された第１対象の状態情報が前記トリガ条件を満たさない場合に、一時停止した前記第２対象を表示し続けるために用いられることを特徴とする請求項１３〜２１のいずれか一項に記載の装置。
【請求項２３】
前記変更モジュールは、具体的には、前記トリガイベントに従って前記第２対象の表示の終了を繰り上げるために用いられ、
又は、前記変更モジュールは、具体的には、前記トリガイベントに従って前記第２対象の表示時間を短縮するために用いられ、
又は、前記変更モジュールは、具体的には、前記トリガイベントに従って前記第２対象の表示時間を延長するために用いられ、
又は、前記変更モジュールは、具体的には、前記トリガイベントに従って前記第２対象の表示パラメータを調整するために用いられ、
又は、前記変更モジュールは、具体的には、前記トリガイベントに従って前記第２対象の表示内容を調整するために用いられ、
又は、前記変更モジュールは、具体的には、前記トリガイベントに従って前記第２対象の消失方式を調整するために用いられ、
又は、前記変更モジュールは、具体的には、トリガイベントに従って前記第２対象の表示を一時停止するために用いられることを特徴とする請求項１３〜２１のいずれか一項に記載の装置。
【請求項２４】
前記変更モジュールは、具体的には、前記トリガ条件を満たした場合に、前記第２対象の現在表示されているｎ番目のサブ対象から前記第２対象のｎ＋１番目のサブ対象を表示するように切り替えるように制御するために用いられることを特徴とする請求項１３〜２１のいずれか一項に記載の装置。
【請求項２５】
ディスプレイと、
メモリと、
それぞれ前記ディスプレイと前記メモリに接続され、メモリにあるコンピュータ実行可能コマンドを実行することで前記ディスプレイとメモリの作動を制御するために用いられ、請求項１〜１２のいずれか一項で提供された方法を実現可能であるプロセッサと、を含むことを特徴とする表示デバイス。
【請求項２６】
コンピュータ実行可能コマンドが記憶されているコンピュータ記憶媒体であって、前記コンピュータ実行可能コマンドが実行されるとき、請求項１〜１２のいずれか一項で提供された方法を実現可能であるコンピュータ記憶媒体。
【発明の詳細な説明】
【技術分野】
【０００１】
（関連出願の相互参照）
本願は、２０１９年２月２７日に中国国家知識産権局に提出された、出願番号２０１９１０１４６５８０．８、出願の名称「表示方法及び装置、電子機器並びに記憶媒体」の中国特許出願の優先権を主張し、その開示の全てが参照によって本願に組み込まれる。
【０００２】
本開示は、表示技術に関し、特に、表示方法及び装置、電子機器並びに記憶媒体に関する。
【背景技術】
【０００３】
表示技術の開発が進むに伴い、電子機器の表示効果がますます多様化しており、表示効果も豊富になっている。しかしながら、ユーザの表示効果に対する要求も多様になっており、電子機器の表示多様性のニーズをどのようにいっそう豊富にするか、ユーザの個別的な要求をどのように応えるかは、従来技術において更に解決しなければならない技術課題となっている。
【発明の概要】
【０００４】
それに鑑みて、本開示の実施例は、表示方法及び装置、電子機器並びに記憶媒体を提供することを目的とする。
【０００５】
本開示の技術的解決手段は、以下のように実現される。
【０００６】
表示方法であって、第１対象の状態情報を検出するステップと、前記状態情報が第１トリガ条件を満たした場合に、前記第１トリガ条件に対応するトリガイベントに従って、前記第１対象とは独立している第２対象の表示を変更するステップとを含む。
【０００７】
上記態様によれば、前記状態情報は、表示インターフェースの現在表示状態を示すための第１表示状態情報、及び／又は、画像収集モジュールの現在収集状態を示すための収集状態情報を含み、前記トリガ条件は、前記第１表示状態情報に対応する表示状態トリガ条件、及び／又は、前記収集状態情報に対応する収集状態トリガ条件を含む。
【０００８】
上記態様によれば、前記状態情報が第１トリガ条件を満たす場合は、検出された前記第１表示状態情報が、前記第１対象が表示インターフェースに現れることを示す場合に、前記第１トリガ条件を満たしたと決定する場合を含む。
【０００９】
上記態様によれば、前記状態情報が第１トリガ条件を満たす場合は、検出された前記収集状態情報が、前記第１対象が収集領域から消えたことを示す場合に、前記第１トリガ条件を満たしたと決定する場合を含む。
【００１０】
上記態様によれば、前記状態情報が第１トリガ条件を満たす場合は、前記状態情報が、前記第１対象が所定動作を呈することを示す場合に、前記第１トリガ条件を満たしたと決定する場合を含む。
【００１１】
上記態様によれば、第１対象の状態情報を検出する前記ステップは、表示インターフェースに現在表示されている前記第１対象の第２表示状態情報を検出するステップを含み、前記状態情報が第１トリガ条件を満たした場合に、前記第１トリガ条件に対応するトリガイベントに従って第２対象の表示を変更する前記ステップは、前記第２表示状態情報が、前記第１トリガ条件を満たしたことを示す場合に、前記第１トリガ条件に対応するトリガイベントに従って前記第２対象の表示を変更するステップを含む。
【００１２】
上記態様によれば、前記第２表示状態情報が、前記第１トリガ条件を満たしたことを示す場合に、前記第１トリガ条件に対応するトリガイベントに従って前記第２対象の表示を変更する前記ステップは、前記第２表示状態情報が同期表示トリガ条件を満たした場合に、同期表示トリガイベントに従って前記第１対象と前記第２対象を制御して同期表示させるステップ、及び前記第２表示状態情報が関連付け表示トリガ条件を満たした場合に、関連付け表示トリガ条件に従って、前記第１対象の表示が特定状態に至ると前記第２対象の表示を開始するステップの中の少なくとも１つを含む。
【００１３】
上記態様によれば、第１対象の状態情報を検出する前記ステップは、前記第１対象となる表示デバイスのデバイス状態情報を検出するステップを含み、前記デバイス状態情報が第１トリガ条件を満たす場合は、前記デバイス状態情報が前記第１トリガ条件を満たす場合を含む。
【００１４】
上記態様によれば、前記デバイス状態情報は、前記表示デバイスの現在表示状態を示すデバイス表示状態情報、前記表示デバイスの現在所在環境を示す環境状態情報、前記表示デバイスの現在資源状態を示す資源状態情報の中の少なくとも１つを含む。
【００１５】
上記態様によれば、前記状態情報が第１トリガ条件を満たした場合に、前記第１トリガ条件に対応するトリガイベントに従って第２対象の表示を変更する前記ステップは、前記状態情報が前記第１トリガ条件を満たした場合に、前記第１トリガ条件に対応するトリガイベントに従って前記第２対象の表示を一時停止するステップを含み、前記方法は、再度検出された前記第１対象の状態情報が前記第１トリガ条件を満たさない場合に、一時停止した前記第２対象を表示し続けるステップを更に含む。
【００１６】
上記態様によれば、前記第１トリガ条件に対応するトリガイベントに従って第２対象の表示を変更する前記ステップは、前記トリガイベントに従って前記第２対象の表示の終了を繰り上げるステップ、又は、前記トリガイベントに従って前記第２対象の表示時間を短縮するステップ、又は、前記トリガイベントに従って前記第２対象の表示時間を延長するステップ、又は、前記トリガイベントに従って前記第２対象の表示パラメータを調整するステップ、又は、前記トリガイベントに従って前記第２対象の表示内容を調整するステップ、又は、前記トリガイベントに従って前記第２対象の消失方式を調整するステップ、又は、トリガイベントに従って前記第２対象の表示を一時停止するステップを含む。
【００１７】
上記態様によれば、前記第１トリガ条件に対応するトリガイベントに従って第２対象の表示を変更する前記ステップは、前記第２対象の現在表示されているｎ番目のサブ対象から前記第２対象のｎ＋１番目のサブ対象を表示するように切り替えるように制御するステップを含む。
【００１８】
表示装置であって、第１対象の状態情報を検出するための検出モジュールと、前記状態情報が第１トリガ条件を満たす場合を決定するための第１決定モジュールと、前記状態情報が第１トリガ条件を満たしたことが前記第１決定ユニットによって決定された場合に、前記第１トリガ条件に対応するトリガイベントに従って、前記第１対象とは独立している第２対象の表示を変更するための変更モジュールと、を含む。
【００１９】
上記態様によれば、前記状態情報は、表示インターフェースの現在表示状態を示すための第１表示状態情報、及び／又は、画像収集モジュールの現在収集状態を示すための収集状態情報を含み、前記第１トリガ条件は、前記第１表示状態情報に対応する表示状態トリガ条件、及び／又は、前記収集状態情報に対応する収集状態トリガ条件を含む。
【００２０】
上記態様によれば、前記第１決定モジュールは、具体的には、検出された前記第１表示状態情報が、前記第１対象が表示インターフェースに現れることを示す場合に、前記第１トリガ条件を満たしたと決定するために用いられる。
【００２１】
上記態様によれば、前記第１決定モジュールは、具体的には、検出された前記収集状態情報が、前記第１対象が収集領域から消えたことを示す場合に、前記第１トリガ条件を満たしたと決定するために用いられる。
【００２２】
上記態様によれば、前記第１決定モジュールは、具体的には、前記状態情報が、前記第１対象が所定動作を呈することを示す場合に、前記第１トリガ条件を満たしたと決定するために用いられる。
【００２３】
上記態様によれば、前記検出モジュールは、具体的には、表示インターフェースに現在表示されている前記第１対象の第２表示状態情報を検出するために用いられ、前記変更モジュールは、具体的には、前記第２表示状態情報が、前記第１トリガ条件を満たしたことを示す場合に、前記第１トリガ条件に対応するトリガイベントに従って前記第２対象の表示を変更するために用いられる。
【００２４】
上記態様によれば、前記変更モジュールは、具体的には、前記第２表示状態情報が同期表示トリガ条件を満たした場合に、同期表示トリガイベントに従って前記第１対象と前記第２対象を制御して同期表示させるために用いられ、又は、前記変更モジュールは、具体的には、前記第２表示状態情報が関連付け表示トリガ条件を満たした場合に、関連付け表示トリガ条件に従って、前記第１対象の表示が特定状態に至ると前記第２対象の表示を開始するために用いられる。
【００２５】
上記態様によれば、前記検出モジュールは、具体的には、前記第１対象となる表示デバイスのデバイス状態情報を検出するために用いられ、前記第１決定モジュールは、具体的には、前記デバイス状態情報が前記第１トリガ条件を満たしたことを決定するために用いられる。
【００２６】
上記態様によれば、前記デバイス状態情報は、前記表示デバイスの現在表示状態を示すデバイス表示状態情報、前記表示デバイスの現在所在環境を示す環境状態情報、前記表示デバイスの現在資源状態を示す資源状態情報の中の少なくとも１つを含む。
【００２７】
上記態様によれば、前記変更モジュールは、具体的には、前記状態情報が前記第１トリガ条件を満たした場合に、前記第１トリガ条件に対応するトリガイベントに従って前記第２対象の表示を一時停止するために用いられ、前記変更モジュールは、更に、再度検出された第１対象の状態情報が前記トリガ条件を満たさない場合に、一時停止した前記第２対象を表示し続けるために用いられる。
【００２８】
上記態様によれば、前記変更モジュールは、具体的には、前記トリガイベントに従って前記第２対象の表示の終了を繰り上げるために用いられ、又は、前記変更モジュールは、具体的には、前記トリガイベントに従って前記第２対象の表示時間を短縮するために用いられ、又は、前記変更モジュールは、具体的には、前記トリガイベントに従って前記第２対象の表示時間を延長するために用いられ、又は、前記変更モジュールは、具体的には、前記トリガイベントに従って前記第２対象の表示パラメータを調整するために用いられ、又は、前記変更モジュールは、具体的には、前記トリガイベントに従って前記第２対象の表示内容を調整するために用いられ、又は、前記変更モジュールは、具体的には、前記トリガイベントに従って前記第２対象の消失方式を調整するために用いられ、又は、前記変更モジュールは、具体的には、トリガイベントに従って前記第２対象の表示を一時停止するために用いられる。
【００２９】
上記態様によれば、前記変更モジュールは、具体的には、前記トリガ条件を満たした場合に、前記第２対象の現在表示されているｎ番目のサブ対象から前記第２対象のｎ＋１番目のサブ対象を表示するように切り替えるように制御するために用いられる。
【００３０】
表示デバイスであって、ディスプレイと、メモリと、それぞれ前記ディスプレイと前記メモリに接続され、メモリにあるコンピュータ実行可能コマンドを実行することで前記ディスプレイとメモリの作動を制御するために用いられ、上記のいずれか１種の技術的解決手段で提供された表示方法を実現可能であるプロセッサと、を含む。
【００３１】
コンピュータ実行可能コマンドが記憶されているコンピュータ記憶媒体であって、前記コンピュータ実行可能コマンドが実行されるとき、上記のいずれか１種の技術的解決手段で提供された表示方法を実現可能である。
【００３２】
本開示の実施例で提供される技術的解決手段は、第１対象の状態情報を検出し、第１対象が現れたか消えたことがこの状態情報に示されていれば、別の第１対象とは独立している第２対象の表示を変更し、それによって１つの対象が現れたか消えたことに応じて別の第２対象の特定の表示を変更して、第２対象の表示形態を充実させ且つ表示制御を充実させて、ユーザの個別的な要求に更に応えられるようになる。
【図面の簡単な説明】
【００３３】
【図１】本開示の実施例で提供される表示方法のフローチャートである。
【図２】本開示の実施例で提供される第１の表示効果の模式図である。
【図３】本開示の実施例で提供される別の表示方法のフローチャートである。
【図４】本開示の実施例で提供される第２の表示効果の模式図である。
【図５】本開示の実施例で提供される第３の表示効果の模式図である。
【図６】本開示の実施例で提供される別の表示方法のフローチャートである。
【図７】本開示の実施例で提供される別の表示方法のフローチャートである。
【図８】本開示の実施例で提供される第４の表示効果の模式図である。
【図９】本開示の実施例で提供される表示装置の構造模式図である。
【図１０】本開示の実施例で提供される表示デバイスの構造模式図である。
【発明を実施するための形態】
【００３４】
以下、明細書の図面及び具体的な実施例を参照しながら本開示の技術的解決手段を更に詳細に説明する。
【００３５】
図１に示すように、本実施例で提供される表示方法は、以下のステップを含む。
【００３６】
１０１において、第１対象の状態情報を検出する。
【００３７】
本実施例で提供された表示方法は様々な表示デバイスに利用可能である。前記電子機器は、液晶ディスプレイ、投影ディスプレイ、有機発光ダイオード（ＯＬＥＤ）ディスプレイ又は電子インクディスプレイのようなディスプレイを含んでよい。
【００３８】
ある実施例では、前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含む。
【００３９】
ある実施例では、第１対象の状態情報を検出するステップは、表示インターフェースに現在表示されている前記第１対象の第２表示状態情報を検出するようになってよい。
【００４０】
ある実施例では、第１対象の状態情報を検出するステップは、前記第１対象となる表示デバイスのデバイス状態情報を検出するようになってよい。
【００４１】
１０２において、前記状態情報が第１トリガ条件を満たした場合に、前記第１トリガ条件に対応するトリガイベントに従って、前記第１対象とは独立している第２対象の表示を変更する。
【００４２】
異なる実施例では、検出される第１対象の状態情報が異なるので、複数の実施例を参照して前記状態情報が第１トリガ条件を満たす場合をどのように決定するかについての説明は後で行われる。前記トリガイベントは表示デバイスが特定動作又は特定操作を実行することをトリガするために用いられてよい。本実施例では、前記トリガイベントは第２対象の表示を制御するトリガイベントであり、又は、前記トリガイベントは表示デバイスが第２対象の表示に関連するイベントを実行することをトリガするものである。本実施例では、前記第１トリガ条件に対応するトリガイベントに従って第２対象の表示を変更する実施形態が様々あり、その詳細についての説明は後で行われる。
【００４３】
本実施例では、第１対象が第２対象とは独立しているといった独立性は以下のいずれかの一項で体現されてよい。
【００４４】
（１）前記トリガイベントがない時に第１対象と第２対象の表示制御論理が互に独立したものであり、例えば、前記トリガイベントがない時に、第２対象の表示開始、表示中止及び表示方式等が全て第１対象の現在表示状態と無関係である。
【００４５】
（２）第１対象は第２対象と異なるものであり、例えば、第１対象と第２対象は含有関係とならない。
【００４６】
（３）第１対象と第２対象は異なる種類の対象であってよく、例えば、第１対象が単一の画像であり、第２対象が動画であってよく、又は、第２対象が単一の画像であり、第１対象が映像であり、更に例を挙げると、前記第１対象が表示されるパターン対象であってよく、第２対象が収集対象であってよく、又は、第１対象が収集対象であり、第２対象が表示されるパターン対象である。第１対象が収集対象であれば、ステップＳ１１０において第１対象の状態情報は、第１対象が収集領域内に現れたか収集領域から消えたことを示してよい。収集領域は画像収集モジュールの収集視角に対応する領域であってよく、表示デバイスは画像収集モジュールの収集した画像によって第１対象の出現又は消失等の状態を示す状態情報を取得してよい。
【００４７】
（４）第１対象と第２対象は異なるファイルに由来するものであり、例えば、前記第１対象と第２対象は前記トリガイベントに従って関連付けられることを除き、同一の動画等に所属するものでなく、同時に同一の表示インターフェースに出現するとは限られない。
【００４８】
例えば、前記第１対象と第２対象は共にパターン対象、例えば、現在表示インターフェースに表示されているパターン対象であってよい。本実施例では、表示インターフェースには複数のパターン対象が表示されていてもよく、前記第１対象及び／又は第２対象に加えて、他のパターン対象を含んでもよいことは言うまでもない。前記パターン対象は静的パターン対象や動的パターン対象であってよく、本実施例では、前記第１対象と第２対象は共に動的パターン対象であってもよい。前記動的パターン対象はアニメーション効果、動画、動的画像等を含んでよい。
【００４９】
更に例を挙げると、前記第１対象と第２対象のうちの少なくとも１つ又は２つは共にステッカーであってよく、このステッカーは表示インターフェース全体又は表示インターフェースの一部をカバーするパターン対象であってよい。例えば、このステッカーは表示インターフェース内の人物画像顔部領域をカバーする顔部ステッカーであってよい。前記顔部ステッカーは、例えば、ドラマ要素のステッカー（例えば、京劇隈取）及び／又は娯楽性のある各種ステッカーのような様々な形態のステッカーを含んでよい。図２に示す画像には人物画像の顔部をカバーする面白いステッカーが表示されている。
【００５０】
ある実施例では、前記第１対象と第２対象は共に表示対象であってよく、及び／又は、前記第１対象と第２対象は共に収集対象であってよい。一例として、表示対象は予め設定された特殊効果、パターン等である。一例として、収集対象は画像収集装置によって収集した画像、例えば顔画像等である。
【００５１】
本願の実施例では、２つの独立したパターン対象の間の関連付け制御に基づいて、第１対象の状態情報が第１トリガ条件を満たした場合に、第２対象の表示を変更し、それによってパターン画面の表示制御形態を豊富にして、パターン対象の制御形態を改善した。
【００５２】
前記第１トリガ条件に対応するトリガイベントに従って第２対象の表示を変更する実施形態について前記実施例では詳細に説明しなかったが、以下、第２対象の表示を変更するいくつかの実施形態を説明する。
【００５３】
ある実施例では、前記第１トリガ条件に対応するトリガイベントに従って第２対象の表示を変更するステップは、
前記トリガイベントに従って前記第２対象の表示の終了を繰り上げること、
前記トリガイベントに従って前記第２対象の表示時間を短縮すること、
前記トリガイベントに従って前記第２対象の表示時間を延長すること、
前記トリガイベントに従って前記第２対象の表示パラメータを調整すること、
前記トリガイベントに従って前記第２対象の表示内容を調整すること、
前記トリガイベントに従って前記第２対象の消失形態を調整し、例えば、第２対象をフェードアウトすることで表示インターフェースから消失させ、又は、第２対象を一側からシフトアウトする手段で表示インターフェースから消失させること、
トリガイベントに従って前記第２対象の表示を一時停止すること、及び
前記トリガイベントに従って、前記第２対象の現在表示されているｎ番目のサブ対象から前記第２対象のｎ＋１番目のサブ対象を表示するように切り替えるように制御することのうちの少なくとも１つを含んでもよい。
【００５４】
例えば、前記第２対象がＮフレームを含む動画又はアニメーションであるとすれば、第１トリガ条件を満たしたことが検出されると、第２対象の第ｎフレームまで表示し、ｎがＮより小さく、トリガイベントが第２対象の表示の終了を繰り上げることをトリガするトリガイベントであれば、表示デバイスは第２対象の第ｎ＋１フレームを更に表示しなく、第ｎフレームまで表示すると終了する。
【００５５】
第２対象の表示時間を延長する前記形態が様々あり、以下、いくつかの選択可能な形態を提供する。
【００５６】
基準速度より低い第１速度で前記第２対象を再生し、そのようにして、第２対象の再生時間が長くなる。
【００５７】
第２対象のフレームの全部又は一部をリピート再生し、少なくとも一部をリピート再生する手段で第２対象の表示を延長する。
【００５８】
前記第２対象の表示時間を短縮する前記形態が様々あり、以下、いくつかの選択可能な形態を提供する。
【００５９】
基準速度より高い第２速度で第２対象を再生し、そのようにして、第２対象を完全に再生した上で第２対象の表示時間を短縮可能である。
【００６０】
前記第２対象のキーフレームを表示し、例えば、前記第２対象が動画及び／又はアニメーションであり、本実施例では、第２対象の表示時間を短縮するために予め設定されたキーフレームのみを表示し、そのようにして、第２対象の最後のフレームがキーフレームであれば、第２対象の表示時間を短縮する方策において、第２対象の一部の中間フレームが省略されることがあるが、最後のフレームが表示されることになる。
【００６１】
ここで、前記表示パラメータは、前記第２対象の表示効果を制御する各種のパラメータであってよい。例えば、前記表示パラメータは、
前記第２対象の表示色を制御する色パラメータ、
前記第２対象の表示輝度を制御する輝度パラメータ、及び
前記第２対象の切り替え速度を制御する表示速度パラメータの中の少なくとも１つを含むが、それらに限定されない。
【００６２】
要するに、本実施例では、第１対象の状態情報を用いて第１対象とは独立している第２対象の表示を制御し、そのようにして、第２対象の表示制御形態を増加させ、第２対象の表示形態と変化を充実させ、表示インターフェースの表示論理と表示効果を充実させ、ユーザ体験を高め、ユーザの個別的な要求に応えられるようにした。
【００６３】
前記の第２対象の表示の一時停止は第２対象の表示の終了と異なり、第２対象の表示を一時停止する前記ステップは、
第２対象を一時停止する前の表示状態を記憶するステップと、
第２対象の表示を一時停止するステップと、
表示回復条件を満たした場合に、第２対象を一時停止する前の表示状態によって第２対象の表示を継続するステップと、を含む。
【００６４】
ある実施例では、前記状態情報が第１トリガ条件を満たした場合に、前記第１トリガ条件に対応するトリガイベントに従って第２対象の表示を変更する前記ステップは、前記第１トリガ条件を満たした場合に、前記第１トリガ条件に対応するトリガイベントに従って前記第２対象の表示を一時停止するようになってよく、前記方法は、再度検出された第１対象の状態情報が前記第１トリガ条件を満たさない場合に、一時停止した前記第２対象を表示し続けるステップを更に含む。
【００６５】
例えば、第１対象が現れたことが検出されると、現在再生している第２対象の表示を一時停止し、第１対象の状態情報の検出を継続すれば、第１トリガ条件を現在満たしていないことが検出された状態情報に示される場合に、第２対象の表示を回復し、この時に、即ち一時停止された第２対象の画面から表示を継続する。
【００６６】
本実施例では、前記第２対象の表示を一時停止すると同時に、一時停止した時の第２対象の表示状態を維持する。
【００６７】
例えば、ある実施例では、第１対象が収集されたユーザ画像であり、状態情報がユーザの動作状態であり、そのように、収集画像によってユーザが動作Ａを実行したことを分かると、トリガイベントを満たしたと考えられ、短い動画の表示を開始し、続いて、画像を収集することで、ユーザが動作Ａを実行していないことを分けると、現在第１トリガ条件を満たしていないと考えられ、短い動画の表示を一時停止し、停止位置が現在表示されている画像フレームにあり、ユーザの画像を再度収集し、画像検出によってユーザが再度動作Ａを実行したことを分かると、一時停止した画像フレームから短い動画の表示を継続し、短い動画の表示が完了するまで繰り返して実行する。
【００６８】
短い動画等の第２対象の最後のフレームの時に第２対象の表示を一時停止するトリガイベントが検出されると、同様に第２対象の表示している最後のフレームで一時停止し、再度検出によって、一時停止するトリガイベントを満たした動作又は状態が消えたことを分かると、第２対象の表示を終了する。
【００６９】
例えば、第１対象が収集されたユーザ口部画像であり、状態情報がユーザ口部の動作状態であり、第２対象がハンバーガー画像であり、そのように、画像によってユーザが口を開く動作を収集し、口を開く動作が検出された場合に、第１トリガ条件を満たしたと考えられ、口を開く動作が検出できなかった場合に、第１トリガ条件を満たさないと考えられる。第２対象は一連のハンバーガー画像であってよく、それぞれのハンバーガー画像は完全度が異なって、ハンバーガーが食べられる過程を示す。
【００７０】
例えば、画像収集によってユーザが口を開いたことが検出されると、１枚目のハンバーガー画像を表示し、ユーザが口を開いている過程で、ハンバーガー画像を切り替え、そのようにハンバーガー画像を切り替えることでハンバーガーが完全なものからますます小さく食べられてきた視覚効果を表示し、最後のハンバーガー画像が表示される前に、画像収集によってユーザが口を閉じたことが検出されると、第２対象の表示を切り替えるトリガイベントを満たさないと考えられ、ハンバーガー画像の切り替えを一時停止し且つ現在のハンバーガー画像の表示を維持し、ユーザが口を開いたことが再度検出されると、ハンバーガー画像が全て切り替えられるまで、その前に一時停止したハンバーガー画像から後へ切り替え続ける。それによって、ユーザの口を開く動作と口を閉じる動作に応じてハンバーガー画像を切り替えることで、ハンバーガーを食べる過程を表示する。
【００７１】
更に雨を制御する小規模の特殊効果の例を挙げ、例えば、第１対象がユーザの掌の画像であり、状態情報がユーザの掌の動作状態であり、第２対象が雨が降る特殊効果である。画像収集によってユーザが掌を広げたことが検出されると、雨が降っている特殊効果を維持し、ユーザが広げた掌から握りこぶしに切り替えると、雨が降っている特殊効果を一時停止し、一時停止した時の雨が降っている特殊効果が糸状の雨になっていれば、画像デバイス上で糸状の雨の特殊効果を維持する。画像収集によってユーザが掌を広げたことが再度検出されると、維持された糸状の雨の特殊効果から表示を継続する。
【００７２】
要するに、本実施例では、前記第２対象は複数の表示状態を含み、例えば、以下の５種の状態を提供する。
【００７３】
表示開始：一時停止されるか、停止されるか、全ての表示が完了するまで、第１フレームから画面に第１、２、３、４、５、６、７、８、９フレームを順に表示する。
【００７４】
表示停止：シーケンスフレームが画面から消えた。
【００７５】
第１フレームで一時停止：第１フレームのみが表示され、画面に第１フレームがずっと表示されており、表示の終了をトリガするトリガイベントがあったら、表示を回復したり表示を停止したりする。
【００７６】
一時停止：現在フレームで停止し、現在フレームがずっと表示されており、表示の終了をトリガするトリガイベントがあったら、表示を回復したり表示を停止したりする。
【００７７】
最後のフレームで一時停止：最後のフレームのみが表示され、最後のフレームがずっと表示されており、表示の終了をトリガするトリガイベントがあったら、表示を回復したり表示を停止したりする。
【００７８】
上記の５種の状態は平等又は並列のものであり、特定の先後順序又は優先順序がなく、上記の５種の状態を必要に応じて任意に組み合わせても良い。
【００７９】
これらの複数種の状態を組み合わせて様々な状態組合を形成でき、以下、いくつかの選択可能な組合状態を提供する。
【００８０】
表示開始、第１フレームで一時停止、現在フレームで一時停止、最後のフレームで一時停止、表示終了。
【００８１】
表示開始、現在フレームで表示を停止。
【００８２】
表示開始、現在フレームで表示を停止、画像フレームを隠れ、隠れた画像フレームを基に表示を回復。
【００８３】
表示開始、他の対象の表示に切り替え、他の対象の表示から現在対象の表示に回復。
【００８４】
本願の実施例では、トリガイベントに従って第２対象の表示を変更する実施形態が様々あり、それぞれのユーザの要求に応えられるように、実際の要求に応じて第２対象の表示を変更する実施形態を設置可能である。
【００８５】
異なる実施例で検出される第１対象の状態情報が異なるので、前記状態情報が第１トリガ条件を満たすか否かを決定する形態が異なる。以下、より細かくされた実施例によってステップ１０１とステップ１０２の実施形態を詳細に説明する。
【００８６】
図３は本願の実施例で提供される別の表示方法のフローチャートである。図３における表示方法は図１における表示方法を更に細かくし、完全にしたものであり、図３に示すように、この方法は、
第１対象の状態情報を検出するステップＳ１１０と、
前記状態情報が、前記第１対象が現れたか消えたことを示す場合、前記状態情報に従って第１トリガ条件を満たすか否かを決定するステップＳ１２０と、を含む。
【００８７】
選択可能に、ステップ１２０は、前記状態情報が、前記第１対象が所定動作を呈することを示す場合に、前記第１トリガ条件を満たしたと決定するステップに変換可能である。例えば、軽く頭を下げる動作又は頭を上げる動作をしている人物画像が収集されるか、掌を広げる動作又は握りこぶしをつくる動作をしている人物画像が収集されると、所定動作を呈していると考えられ、特定の第１トリガ条件を満たしたとする。
【００８８】
ステップＳ１３０：前記第１トリガ条件を満たした場合に、前記第１トリガ条件に対応するトリガイベントに従って前記第１対象とは独立している第２対象の表示を変更する。
【００８９】
本実施例では、ステップＳ１１０で第１対象が出現したか消失した状態情報を検出する。ここの出現又は消失は、表示インターフェースに対する出現又は消失を含んでよい。
【００９０】
第１対象が現れたか消えたことが状態情報に示されていることが検出されると、この状態情報に従って第１トリガ条件を満たすか否かを決定し、第１トリガ条件を満たした場合に、この第１トリガ条件に対応するトリガイベントが実行され、それによって第２対象の表示調整が実現される。
【００９１】
ある実施例では、前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含む。
【００９２】
本実施例では、前記表示方法はディスプレイを備えた表示デバイスに利用可能であり、また、この表示デバイスはカメラ等の画像収集モジュールを含んでもよく、又は画像収集モジュールに接続されてもよい。前記画像収集モジュールは画像を収集可能である。
【００９３】
ある実施例では、前記第１対象と第２対象は予め表示デバイスに記憶されておいた表示対象であってもよく、前記表示デバイスが他の装置から受信した表示対象であってもよい。
【００９４】
別の実施例では、前記第１対象と第２対象は更にリアルタイムに収集され且つディスプレイに表示されるパターン対象であってもよい。
【００９５】
従って、本実施例では、前記第１トリガ条件は、対象の種類によっては、表示状態トリガ条件及び／又は収集状態トリガ条件を含む。
【００９６】
１つのトリガイベントに対応するトリガ条件は１つのものを含んでもよく、複数のものを含んでもよく、ある実施例では、前記トリガイベントに対応する第１トリガ条件は、表示状態トリガ条件及び／又は収集状態トリガ条件を含んでよい。１つのトリガイベントに対応するトリガ条件が複数のものである時に、これらのトリガ条件同士は所定の論理関係を満たさなければならず、この論理関係は、論理「又は」及び／又は論理「及び」を含んでよい。
【００９７】
あるトリガイベントが論理「及び」のトリガ条件に対応する場合に、このトリガイベントを実行するには、このトリガイベントに対応する複数のトリガ条件の全てを満たさなければならないが、あるトリガイベントが論理「又は」のトリガ条件に対応する場合に、このトリガイベントを実行するには、論理「又は」によって連結されるトリガ条件の中の１つのものを満たせばよい。
【００９８】
要するに、本実施例では、前記第１トリガ条件は少なくとも表示状態トリガ条件と収集状態トリガ条件といった二者に大別される。本実施例における前記第２対象の表示調整は、表示状態トリガ条件及び／又は収集状態トリガ条件の中のいずれか一方に基づいて行ってもよく、そのようにして、つまり、表示状態及び／又は収集状態はいずれも表示デバイスによる第２対象の表示を調整可能である。
【００９９】
ある実施例では、前記ステップＳ１２０は、検出された前記第１表示状態情報が、前記第１対象が表示インターフェースに現れることを示す場合に、前記表示状態トリガ条件（第１トリガ条件に対応する）を満たしたと決定し、又は、検出された前記収集状態情報が、前記第１対象が収集領域から消えたことを示す場合に、収集状態トリガ条件（第１トリガ条件に対応する）を満たしたと決定するステップを含んでよい。
【０１００】
前記第１表示状態情報は第１対象の表示状態の説明情報であってよく、例えば、前記第１表示状態情報は、
前記第１対象の表示開始を示す開始状態情報、
前記第１対象の表示終了を示す終了状態情報、及び
前記第１対象の現在表示進捗を示す表示進捗状態情報の少なくとも一項を含んでよく、ここで、例えば、この表示進捗状態情報は動画又はアニメーションの第Ｍフレームまで表示したこと、既に表示された時間、残りの表示時間を示すことに用いられる。更に例を挙げると、前記表示進捗状態情報は更にステッカーシーケンスにおけるＳ枚目のステッカーまで表示したことを示すことに利用可能である。
【０１０１】
要するに、前記第１表示状態情報は前記第１対象の表示状態を示す様々な情報であってよく、上記の例に限定されない。
【０１０２】
ある実施例では、前記ステップＳ１２０は、第１対象が表示インターフェースに現れると、表示状態トリガ条件を満たしたと考えられ、即ち、第１対象の出現によって第２対象の表示を変更するステップを含んでよい。例えば、前記第１対象と第２対象は共に動画又はアニメーションの形態で形成された特殊効果であってよい。本実施例で提供された表示方法を実行すれば、１つの特殊効果が出現すると、別の特殊効果の表示を変更することになる。
【０１０３】
ある実施例では、第１対象は第２対象以外の任意の対象であってよく（即ち、第１対象は第２対象に対してランダムな対象である）、即ち、第２対象の表示中に他の対象が挿入されて表示されると、第２対象の表示が変更され、このような変更は、表示停止、表示一時停止、表示加速、表示減速又はシフトアウト方式の変更等を含むが、それらに限定されない。
【０１０４】
更に別の実施例では、第１対象はランダムな対象でなく、ある特性を有する対象であってもよく、例えば、第１対象は第２対象の表示に部分的に干渉する対象、及び／又は、予め第２対象に対して関連付け関係が確立された対象であってもよく、しかし、このような連付け関係を満たすことは第１トリガ条件が満たされることに限定される。
【０１０５】
前記トリガイベントは、表示デバイスが特定動作又は特定操作を実行することをトリガするために用いられる。本実施例では、前記トリガイベントは第２対象の表示を制御するトリガイベントであり、又は、前記トリガイベントは表示デバイスが第２対象の表示に関連するイベントを実行することをトリガするものである。
【０１０６】
本実施例では、第１対象の出現又は消失が第２対象の表示変更トリガイベントとされる。
【０１０７】
ある実施例では、表示デバイスは第１制御論理によって前記第２対象の表示を制御し、前記第１トリガ条件を満たしたトリガイベントが検出されると、表示デバイスは第２制御論理によって前記第２対象の表示を制御する。前記第１制御論理と第２制御論理とは異なるものである。前記第１制御論理は予め定義された制御論理であり、第２制御論理は第２対象の内在表示制御論理である。前記第２制御論理は、少なくとも前記トリガイベントに対応する操作又は動作に対応する第２対象の制御論理を含む。
【０１０８】
本実施例では、ステップＳ１３０は、第１制御論理から第２制御論理に切り替えて前記第２対象の表示を制御するステップを含んでよく、それによって第２対象の表示の変更が実現される。
【０１０９】
第２対象の表示を変更する前記ステップＳ１３０は、
前記トリガイベントに従って前記第２対象の表示の終了を繰り上げるステップ、
前記トリガイベントに従って前記第２対象の表示時間を短縮するステップ、
前記トリガイベントに従って前記第２対象の表示時間を延長するステップ、
前記トリガイベントに従って前記第２対象の表示パラメータを調整するステップ、
前記トリガイベントに従って前記第２対象の表示内容を調整するステップと、及び
前記トリガイベントに従って前記第２対象の消失方式を調整するステップの中の少なくとも１つを含んでよい。
【０１１０】
ある実施例では、前記ステップＳ１３０は、前記表示状態トリガ条件（即ち、第１トリガ条件）に対応するトリガイベントに従って、現在表示されている前記第２対象の前記表示インターフェースでの表示停止を制御するステップを含んでよい。
【０１１１】
従って、表示状態トリガ条件を満たした場合に、第２対象が表示を停止するように制御される。そのようにして、第１表示対象が挿入されて表示されることによって、第２対象の表示が自動的に停止する。ここで、第２対象の表示を停止する時に、前記第２対象は予め設定された第１制御論理によって表示を完了したり、表示回数に到達したり、所定回数に到達したりすることができないことがある。
【０１１２】
第１対象の出現（即ち、表示開始）によって第２対象の表示が自動的に終了した場合に、２つの独立パターン対象の出現又は消失に基づく関連付け制御が実現され、パターン画面の表示制御形態が豊富になり、パターン対象の制御形態が改善された。
【０１１３】
ある実施例では、前記ステップＳ１３０は、前記第１トリガ条件を満たした場合に、前記第２対象の現在表示されているｎ番目のサブ対象から前記第２対象のｎ＋１番目のサブ対象を表示するように切り替えるように制御するステップを含んでよい。ここのｎがＮより小さい正整数であり、Ｎが第２対象に含まれるサブ対象の総数である。
【０１１４】
前記第２対象は、複数のサブ対象を含んでよく、第１トリガ条件を満たした場合に、第２対象は異なるサブ対象の間で切り替えられ、例えば、現在表示されているサブ対象から次のサブ対象に切り替えられる。
【０１１５】
ある実施例では、現在Ｎ番目のサブ対象が表示されている場合に、第２対象の第１サブ対象に切り替えるように制御してよく、それによって循環切り替えが実現される。
【０１１６】
ある実施例では、前記状態情報が、前記第１対象が現れたか消えたことを示す場合、前記状態情報に従って第１トリガ条件を満たすか否かを決定する前記ステップは、
検出された前記収集状態情報が、前記第１対象が収集領域から消えたことを示す場合に、収集状態トリガ条件を満たしたと決定するステップを含む。
【０１１７】
前記第１対象が収集領域から消えることがあり、そのように画像収集モジュールが収集領域から第１対象を収集できなく、第１対象が表示インターフェースから消える。
【０１１８】
本実施例では、第１対象の収集領域に対する消失は、第１トリガ条件を満たす状態情報でもあると考えられる。そのようにして、第１対象が収集領域から消失した場合に、収集領域に１つの対象を追加して第２対象の表示開始をトリガする逆過程でなく、その消失によって第２対象の表示開始がトリガされる。従って、前記ステップＳ１３０は、前記収集状態トリガ条件（即ち、第１トリガ条件）に対応するトリガイベントに従って、表示インターフェースで前記第２対象の表示を開始するように制御するステップを含んでよい。以下、図面を参照しながら、図３における方法に対応する表示インターフェースの例を説明する。
【０１１９】
図４に示す第１対象は手を爪状にしている画像を含み、第２対象は目標物（例えば、豆等の粒状物）を吸い取る特殊効果であり、図４の右図における掌を広げている画像が現れると、目標物を吸い取る特殊効果が消えるが、図４の左図における手を爪状にしている画像が現れると、目標物を吸い取る特殊効果が現れる。そのようにして、手を爪状にしている画像が現れるか否かは、目標物を吸い取る特殊効果が現れるか否かを制御する制御イベントを実現した。
【０１２０】
図５は本実施例で提供された表示方法に基づいて表示インターフェースの変化を制御する模式図である。図４において第１対象はユーザの掌を広げるジェスチャーを収集した画像であり、第２対象は目標物（例えば、豆等の粒状物）を撒く特殊効果である。図５に示すように、掌を広げているジェスチャーの画像が表示インターフェースに現れると、目標物を撒く特殊効果が表示され、掌を広げているジェスチャーの画像が表示インターフェースから消えると、目標物を撒く特殊効果も消える。
【０１２１】
ある実施例では、第１対象の状態情報を検出するステップは、表示インターフェースに現在表示されている前記第１対象の第２表示状態情報を検出するようになってよい。以下、本願の実施例で提供された、図１における表示方法に比べて更に細かくされた表示方法を説明する。
【０１２２】
図６に示すように、本実施例で提供された別の表示方法は、
表示インターフェースに現在表示されている第１対象の第２表示状態情報を検出する（ステップ１０１に対応する）ステップＳ２０１と、
前記第２表示状態情報が、第１トリガ条件を満たしたことを示す場合、前記第１トリガ条件に対応するトリガイベントに従って、第１対象と異なり且つ前記第１対象とは独立している第２対象の表示を制御する（ステップ１０２に対応する）ステップＳ２０２と、を含む。
【０１２３】
ある実施例では、前記第１対象の表示状態が検出され、第１対象の表示状態を示す情報は第２表示状態情報であってよい。第２表示状態情報が第１トリガ条件を満たした場合に、第２対象の表示がトリガされる。
【０１２４】
本実施例では、前記第１対象と第２対象の相違点は、前記第１対象と第２対象が同じ種類の別々の対象であってよいことで体現してよい。
【０１２５】
ある実施例では、図６における表示方法のステップを図１における表示方法に用いても良い。つまり、図１における表示方法は以下のようなステップＳ２０１とステップＳ２０２を更に含む。
【０１２６】
本実施例では、前記第１対象と第２対象は共に特殊効果であってよく、そのようにして、１つの特殊効果の再生が終了してから、その前に再生が終了した特殊効果とは独立した別の特殊効果を自動的に再生してもよい。例えば、１つの特殊効果の再生中に、別の特殊効果を自動的に挿入したり同期再生したりする。
【０１２７】
具体的には、例えば、前記ステップＳ２０２は、
前記第２表示状態情報が同期表示トリガ条件（第１トリガ条件に対応する）を満たした場合に、同期表示トリガイベントに従って前記第１対象と前記第２対象を制御して同期表示させるステップ、
前記第２表示状態情報が関連付け表示トリガ条件（第１トリガ条件に対応する）を満たした場合に、関連付け表示トリガ条件に従って、前記第１対象の表示が特定状態に至ると前記第２対象の表示を開始するステップの中の少なくとも１つを含んでよい。
【０１２８】
本実施例では、本実施例に記載の第２表示状態情報が満たせる第１トリガ条件は、少なくとも同期表示トリガ条件と関連付け表示トリガ条件を含む。
【０１２９】
第２表示状態情報が同期表示トリガ条件を満たした場合に、第１対象の表示を起動すると同時に第２対象の表示を起動する。第１対象と第２対象はパターン画面に並列表示され得る。
【０１３０】
ある実施例では、前記同期表示は、第１領域に第１対象を表示し、第２領域に第２対象を同期表示することを含んでよい。第１領域が第２領域とは別のものであり、前記第１領域と第２領域は横方向に並列設置されてもよく、縱方向に並列設置されてもよく、ある実施例では、前記第１領域と第２領域は更に対角に設置されてもよい。ある実施例では、前記第１領域と第２領域は部分的に重畳してもよく、又は、完全に重畳してもよい。重畳している時に、前記第１領域は第２領域のサブ領域となってもよく、又は、第２領域は第１領域のサブ領域となってもよい。
【０１３１】
例えば、第１対象はサンタクロースパターン及び／又は動画であってよく、第２対象は雪が降る動画であってよく、表示インターフェースの中央領域にサンタクロース画像及び／又は動画を表示すると同時に、表示インターフェース全体に雪が降る動画を表示する。
【０１３２】
ある実施例では、前記関連付けトリガイベントは主に第１対象と第２対象の表示の関連付け制御をトリガするためのものであり、従って、本実施例では、第１対象が特定状態まで表示され、例えば、表示時間が所定時間に到達し、更に例えば、表示進捗が５０％に到達したり特定フレームまで表示されたりすると、第２対象の表示を起動する。本実施例では、第１対象と第２対象は、同一の領域に表示されてもよいし、別々の領域に表示されてもよい。
【０１３３】
ある実施例では、第１対象の状態情報を検出するステップは、前記第１対象となる表示デバイスのデバイス状態情報を検出するようになってよい。以下、本願の実施例で提供された、図１における表示方法に比べて更に細かくされた別の表示方法を説明する。
【０１３４】
図７に示すように、本実施例は、
表示デバイスのデバイス状態情報を検出する（ステップ１０１に対応する）ステップＳ３０１と、
前記デバイス状態情報が、前記第１トリガ条件の満足条件を満たしたことを示す場合、前記第１トリガ条件を満たしたときに前記第１トリガ条件に対応するトリガイベントに従って第２対象の表示を変更する（ステップ１０２に対応する）ステップＳ３０２と、を含む別の表示方法を提供する。
【０１３５】
本実施例で提供された表示方法のステップを図１における表示方法に用いてもよく、図３における表示方法に用いてもよく、図６における表示方法に用いてもよい。つまり、図１、図３及び図６における表示方法は、表示デバイスのデバイス状態情報を検出するステップと、前記デバイス状態情報が、前記第１トリガ条件の満足条件を満たしたことを示す場合、前記第１トリガ条件を満たしたときに前記第１トリガ条件に対応するトリガイベントに従って第２対象の表示を変更するステップと、を更に含む。
【０１３６】
本実施例では、表示デバイスは更にデバイス状態情報を検出し、デバイス状態を基に第１トリガ条件を満たすか否かを決定し、第１トリガ条件が満たされた時のみに、満たされた第１トリガ条件に対応するトリガイベントが実行される。
【０１３７】
ある実施例では、前記デバイス状態情報は、
前記表示デバイスの現在表示状態を示すデバイス表示状態情報、
前記表示デバイスの現在所在環境を示す環境状態情報、及び
前記表示デバイスの現在資源状態を示す資源状態情報の中の少なくとも１つを含む。
【０１３８】
前記デバイス表示状態情報は、
表示デバイスの現在表示内容を示す内容表示情報、及び
表示デバイスの現在表示モードのモード表示情報の中の少なくとも１つを含んでよい。
【０１３９】
例えば、第１トリガ条件の満足条件は、特定内容を表示する時のみにこの第１トリガ条件が満たされることであり、更に例を挙げると、第１トリガ条件の満足条件は、表示デバイスの特定表示モードのみで対応する第１トリガ条件が満たされることである。
【０１４０】
前記特定内容は、特定タイプの内容、及び／又は、特定の表示内容を含んでよい。例えば、特定タイプが特殊効果又はステッカーであり、表示デバイスに特殊効果又はステッカーが表示されていれば、表示デバイスが第１トリガ条件を満たしたと考えられる。表示デバイスが内容Ａ、内容Ｂ及び内容Ｃを表示する可能性があれば、表示デバイスが内容Ｂを表示する時に第１トリガ条件を満たすと考えられることを第１トリガ条件の満足条件とすれば、表示デバイスが現時点で内容Ｂを表示している場合に、第１トリガ条件が満たされ、そのように第１トリガ条件が満たされた後、この満たされた第１トリガ条件に対応するトリガイベントが実行され、それによって第２対象の表示が制御及び／又は調節される。
【０１４１】
ある実施例では、前記第１対象が第１動画効果であれば、前記第２対象が第２動画効果であり、又は、前記第１対象が第１パターンであれば、前記第２対象が第２パターンである。
【０１４２】
前記表示デバイスの表示モードは少なくとも全画面表示モードと小画面表示モードを含んでよく、全画面表示モードの場合に、表示デバイスのスクリーン全体には第１対象と第２対象のいずれか一方を含む表示インターフェースが表示され、小画面表示モードの場合に、表示インターフェースの表示面積がスクリーンより小さく又はスクリーンの特定割合より小さい。この特定割合は０．９８、０．９５又は０．９等であってよい。
【０１４３】
前記環境状態情報は、
現時点で晴、雨、雪又はもやの日であることを示すための前記表示デバイス所在環境の天気情報、
所在環境の温度を示すための前記表示デバイス所在環境の温度情報、
所在環境の湿度を示すための前記表示デバイス所在環境の湿度情報、及び
所在環境の典型的地貌又は人為的特徴を示すための前記表示デバイス所在環境の典型的地理特徴情報の中の少なくとも１つを含むが、それらに限定されない。例えば、この表示デバイスが携帯装置で、現在の所在位置が中国の三亜であれば、典型的地理特徴が海岸である。
【０１４４】
本実施例では、前記表示デバイスの所在する環境状態情報に従ってあるトリガイベントを満たすか否かを決定する。
【０１４５】
一例として、第１トリガ条件が満たされた場合に、満たされた第１トリガ条件に対応するトリガイベントは雪が降る動画の表示をトリガし、しかし、寒い時に雪が降る動画を表示すればユーザにとってより寒く感じるので、この時に第１トリガ条件の満足条件を満たすことを不可能にしてよく、それによって第１トリガ条件が満たされることが不可能になる。第１トリガ条件を満たした操作又は内蔵通知が検出されても対応するトリガイベントが実行できない。
【０１４６】
要するに、本実施例では各種のデバイス状態情報のマッチング基準を設定してよく、続いて検出されたデバイス状態情報をマッチング基準とマッチングし、合致すれば第１トリガ条件を満たしたと考えられ、逆には第１トリガ条件を満たさないと考えられ。
【０１４７】
前記資源状態情報は、
計算資源使用状態を示す計算資源利用率、
記憶資源の使用状態を示す記憶資源利用率、
表示資源の使用状態を示す表示資源利用率、
帯域幅資源の使用状態を示す帯域幅資源利用率を含んでよい。
【０１４８】
本実施例では、前記資源状態情報に従って所定の資源使用条件を満たしたと決定した場合に、第１トリガ条件を満たしたと決定し、逆には第１トリガ条件を満たさないと考えられる。
【０１４９】
図８は本開示の実施例で提供された表示方法に基づいて第２対象の表示を制御した効果模式図である。図８に頭部画像が示されており、図８に更に画像における顔画像領域に貼り付けられたステッカーが示されている。図８において第１対象はユーザが軽く頭を下げた画像であってよく、第２対象は顔画像領域のステッカーである。画像収集によって表示インターフェースにユーザが軽く頭を下げた画像が現れた場合に、第１トリガ条件を満たしたと考えられ、続いてこの第１トリガ条件に対応するトリガイベントに従って第２対象の制御を実行する。図８において第２対象は顔画像領域のステッカーの切り替えである。軽く頭を下げた画像が検出されると、顔表示領域のステッカーを切り替え、例えば、図８における目部画像領域のステッカーから頬領域のステッカーに切り替える。
【０１５０】
ある実施例では、表示デバイスは多種のステッカーを表示可能であり、トリガイベントを実行する時に表示デバイスに現在表示されているデバイス状態情報を決定する必要があり、デバイスに現在表示されているのはＮ枚目のステッカーであれば、Ｎ＋１枚目のステッカーを表示するトリガイベントに対応する第１トリガ条件が満たされたと考えられ、逆には第Ｎ＋１枚目のステッカーを表示するトリガイベントに対応する第１トリガ条件が満たされない。
【０１５１】
図９に示すように、本実施例は、
第１対象の状態情報を検出するための検出モジュール１１０と、
前記状態情報が第１トリガ条件を満たす場合を決定するための第１決定モジュール１２０と、
前記状態情報が第１トリガ条件を満たしたことが前記第１決定ユニットによって決定された場合に、前記第１トリガ条件に対応するトリガイベントに従って、前記第１対象とは独立している第２対象の表示を変更するための変更モジュール１３０と、を含む表示装置を提供する。
【０１５２】
ある実施例では、前記検出モジュール１１０、第１決定モジュール１２０及び変更モジュール１３０はプログラムモジュールであってよく、このプログラムモジュールがプロセッサにより実行されるとき、状態情報の検出、第１トリガ条件の満足状況の決定及び第２対象の表示変更を実現できる。
【０１５３】
更に別の実施例では、前記検出モジュール１１０、第１決定モジュール１２０及び変更モジュール１３０はソフトウェアドハードウェア組合せモジュールであってよく、前記ソフトウェアドハードウェア組合せモジュールはプログラマブルアレイであってよく、前記プログラマブルアレイは複雑プログラマブルアレイ又はフィールドプログラマブルアレイであってよい。
【０１５４】
更に別の実施例では、前記検出モジュール１１０、第１決定モジュール１２０及び変更モジュール１３０は全ハードウェアモジュールであってよく、この全ハードウェアモジュールは専用集積回路であってよい。
【０１５５】
ある実施例では、前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含む。
【０１５６】
ある実施例では、前記第１決定モジュール１２０は、具体的には、検出された前記第１表示状態情報が、前記第１対象が表示インターフェースに現れることを示す場合に、前記第１トリガ条件を満たしたと決定するために用いられる。
【０１５７】
ある実施例では、前記変更モジュール１３０は、前記表示状態トリガ条件に対応するトリガイベントに従って、現在表示されている前記第２対象の前記表示インターフェースでの表示を停止するように制御するために用いられる。
【０１５８】
ある実施例では、前記第１決定モジュール１２０は、具体的には、検出された前記収集状態情報が、前記第１対象が収集領域から消えたことを示す場合に、前記第１トリガ条件を満たしたと決定するために用いられる。
【０１５９】
ある実施例では、前記第１決定モジュール１２０は、具体的には、前記収集状態トリガ条件に対応するトリガイベントに従って、前記第２対象の表示インターフェースでの表示を開始するように制御するために用いられる。
【０１６０】
ある実施例では、前記第１決定モジュールは、具体的には、前記状態情報が、前記第１対象が所定動作を呈することを示す場合に、前記第１トリガ条件を満たしたと決定するために用いられる。
【０１６１】
ある実施例では、前記変更モジュールは、具体的には、前記第１トリガ条件を満たした場合に、前記第２対象の現在表示されているｎ番目のサブ対象から前記第２対象のｎ＋１番目のサブ対象を表示するように切り替えるように制御するために用いられる。
【０１６２】
ある実施例では、前記検出モジュール１１０は、具体的には、表示インターフェースに現在表示されている第１対象の第２表示状態情報を検出するために用いられ、
前記変更モジュールは、具体的には、前記第２表示状態情報が、前記第１トリガ条件を満たしたことを示す場合に、前記第１トリガ条件に対応するトリガイベントに従って前記第２対象の表示を変更するために用いられる。
【０１６３】
ある実施例では、前記変更モジュールは、具体的には、前記第２表示状態情報が同期表示トリガ条件を満たした場合に、同期表示トリガイベントに従って前記第１対象と前記第２対象を制御して同期表示させるために用いられ、
又は、
前記変更モジュールは、具体的には、前記第２表示状態情報が関連付け表示トリガ条件を満たした場合に、関連付け表示トリガ条件に従って、前記第１対象の表示が特定状態に至ると前記第２対象の表示を開始するために用いられる。
【０１６４】
ある実施例では、前記検出モジュールは、具体的には、前記第１対象となる表示デバイスのデバイス状態情報を検出するために用いられ、
前記第１決定モジュールは、具体的には、前記デバイス状態情報が前記第１トリガ条件を満たしたことを決定するために用いられる。
【０１６５】
ある実施例では、前記デバイス状態情報は、
前記表示デバイスの現在表示状態を示すデバイス表示状態情報、
前記表示デバイスの現在所在環境を示す環境状態情報、
前記表示デバイスの現在資源状態を示す資源状態情報の中の少なくとも１つを含む。
【０１６６】
ある実施例では、前記変更モジュールは、具体的には、前記状態情報が前記第１トリガ条件を満たした場合に、前記第１トリガ条件に対応するトリガイベントに従って前記第２対象の表示を一時停止するために用いられ、
前記変更モジュールは、更に、再度検出された第１対象の状態情報が前記第１トリガ条件を満たさない場合に、一時停止した前記第２対象を表示し続けるために用いられる。
【０１６７】
ある実施例では、前記変更モジュールは、具体的には、前記トリガイベントに従って前記第２対象の表示の終了を繰り上げるために用いられ、
又は、前記変更モジュールは、具体的には、前記トリガイベントに従って前記第２対象の表示時間を短縮するために用いられ、
又は、前記変更モジュールは、具体的には、前記トリガイベントに従って前記第２対象の表示時間を延長するために用いられ、
又は、前記変更モジュールは、具体的には、前記トリガイベントに従って前記第２対象の表示パラメータを調整するために用いられ、
又は、前記変更モジュールは、具体的には、前記トリガイベントに従って前記第２対象の表示内容を調整するために用いられ、
又は、前記変更モジュールは、具体的には、前記トリガイベントに従って前記第２対象の消失方式を調整するために用いられ、
又は、前記変更モジュールは、具体的には、トリガイベントに従って前記第２対象の表示を一時停止するために用いられる。
【０１６８】
ある実施例では、前記制御モジュールは、具体的には、
前記第２表示状態情報が同期表示トリガ条件を満たした場合に、同期表示トリガイベントに従って前記第１対象と前記第２対象を制御して同期表示させるステップ、
前記第２表示状態情報が関連付け表示トリガ条件を満たした場合に、関連付け表示トリガ条件に従って、前記第１対象の表示が特定状態に至ると前記第２対象の表示を開始するステップの少なくとも一項を実行するために用いられる。
【０１６９】
ある実施例では、前記装置は、
表示デバイスのデバイス状態情報を検出するための検出モジュール１１０を更に含み、
前記変更モジュール１３０は、具体的には、前記デバイス状態情報が、前記第１トリガ条件の満足条件を満たしたことを示す場合、前記第１トリガ条件を満たした時に前記第１トリガ条件に対応するトリガイベントに従って第２対象の表示を変更するために用いられる。
【０１７０】
ある実施例では、前記変更モジュールは、具体的には、前記第１トリガ条件を満たした場合に、前記第１トリガ条件に対応するトリガイベントに従って前記第２対象の表示を一時停止するために用いられ、
前記変更モジュールは、更に、再度検出された第１対象の状態情報が前記第１トリガ条件を満たさない場合に、一時停止した前記第２対象を表示し続けるために用いられる。
【０１７１】
図１０に示すように、本願実施例は、
表示するためのディスプレイと、
情報を記憶するためのメモリと、
それぞれディスプレイと前記メモリに接続され、前記メモリに記憶されているコンピュータ実行可能コマンドを実行することで前記１つ又は複数の技術的解決手段で提供された表示方法、例えば、図１、図３、図６及び図７に示す表示方法を実現可能であるプロセッサと、を含む表示デバイスを提供する。
【０１７２】
このメモリは、ランダムアクセスメモリ、読み出し専用メモリ、フラッシュメモリ等のような様々なメモリであってよい。前記メモリは、例えば、コンピュータ実行可能コマンド等の情報を記憶するために用いてよい。前記コンピュータ実行可能コマンドは、例えば、目標プログラムコマンド及び／又はソースプログラムコマンド等のような様々なプログラムコマンドであってよい。
【０１７３】
前記プロセッサは、例えば、中央処理装置、マイクロプロセッサ、デジタル信号プロセッサ、プログラマブルアレイ、デジタル信号プロセッサ、特定用途向け集積回路又は画像プロセッサ等の様々なプロセッサであってよい。
【０１７４】
前記プロセッサはバスを介して前記メモリに接続されてよい。前記バスは、集積回路バス等であってよい。
【０１７５】
ある実施例では、前記端末装置は、更に、ネットワークインターフェース、例えば、ローカルネットワークインターフェース、送受信アンテナ等を含む通信インターフェースを含んでよい。前記通信インターフェースは同様に前記プロセッサに接続され、情報送受信を実行可能である。ある実施例では、前記端末装置は、例えば、キーボード、タッチパネル等の各種の入出力装置を含むマンマシンインターフェースを更に含む。
【０１７６】
本願の実施例は、コンピュータ実行可能コードが記憶されているコンピュータ記憶媒体であって、前記コンピュータ実行可能コードが実行されるとき、前記１つ又は複数の技術的解決手段で提供された表示方法、例えば図１、図３、図６及び図７に示す表示方法を実現可能であるコンピュータ記憶媒体を提供する。
【０１７７】
前記記憶媒体は、移動記憶装置、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶可能な各種の媒体を含む。前記記憶媒体は非一時的記憶媒体であってよい。
【０１７８】
本願実施例は、コンピュータ実行可能コマンドを含むコンピュータプログラム製品であって、前記コンピュータ実行可能コマンドが実行されるとき、上記のいずれか１種の実施例で提供された表示方法、例えば図１、図３、図６及び図７に示す表示方法を実現可能であるコンピュータプログラム製品を提供する。
【０１７９】
なお、本願が提供するいくつかの実施例では、開示した機器および方法は、他の形態で実現することができることを理解すべきである。以上に記載の機器の実施例は例示的なものに過ぎず、例えば、前記ユニットの分割は、論理機能の分割に過ぎず、実際に実現する場合に別の形態で分割してもよく、例えば、複数のユニットまたはコンポーネントは組み合わせてもよいし、または別のシステムに統合してもよいし、または一部の特徴を省略もしくは実行しなくてもよい。また、図示または説明した各構成要素の結合、または直接結合、または通信接続は、いくつかのインターフェース、機器またはユニットを介した間接結合または通信接続であり得、電気的、機械的または他の形態であり得る。
【０１８０】
別々の部材として前述したユニットは物理的に分離されてもされなくてもよく、ユニットとして示された部材は物理的ユニットであってもなくてもよく、一箇所にあっても複数のネットワークユニットに分散してもよく、本実施例の解決手段の目的を達成するには、実際の必要に応じて一部または全てのユニットを選択することができる
また、本開示の各実施例における各機能ユニットは全て一つの処理モジュールに統合されてもよいし、一つのユニットとして別々に使用されてもよいし、二つ以上で一つのユニットに統合されてもよく、上記統合されたユニットはハードウェアの形で、またはハードウェアとソフトウェアを組み合わせた機能ユニットの形で実現され得る。
【０１８１】
当業者であれば、上記各方法の実施例を実現する全てまたは一部のステップはプログラムによって関連ハードウェアに命令を出すことにより完了できることを理解でき、前記プログラムは、携帯型記憶装置、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶可能である様々な媒体を含むコンピュータ読み取り可能記憶媒体に記憶可能であり、該プログラムは実行される時に、上記各方法の実施例を含むステップを実行する。
【０１８２】
以上で説明したのは本開示の具体的な実施形態に過ぎず、本開示の保護範囲がそれに限定されるものでなく、本開示に記載された技術範囲内に当業者に容易に想到される変化又は取り替えは、全て本開示の保護範囲に含まれる。従って、本開示の保護範囲は請求項の保護範囲に準ずるべきである。
【図１】
2021517285.tif 000003
【図２】
2021517285.tif 000004
【図３】
2021517285.tif 000005
【図４】
2021517285.tif 000006
【図５】
2021517285.tif 000007
【図６】
2021517285.tif 000008
【図７】
2021517285.tif 000009
【図８】
2021517285.tif 000010
【図９】
2021517285.tif 000011
【図１０】
2021517285.tif 000012
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
第１対象の状態情報を検出するステップと、
前記状態情報が第１トリガ条件を満たした場合に、前記第１トリガ条件に対応するトリガイベントに従って、前記第１対象とは独立している第２対象の表示を変更するステップと、を含むことを特徴とする表示方法。
【請求項２】
前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含むことを特徴とする請求項１に記載の方法。
【請求項３】
前記状態情報が第１トリガ条件を満たす場合は、
検出された前記第１表示状態情報が、前記第１対象が表示インターフェースに現れることを示す場合に、前記第１トリガ条件を満たしたと決定する場合を含み、
又は、
前記状態情報が第１トリガ条件を満たす場合は、
検出された前記収集状態情報が、前記第１対象が収集領域から消えたことを示す場合に、前記第１トリガ条件を満たしたと決定する場合を含み、
又は、
前記状態情報が第１トリガ条件を満たす場合は、
前記状態情報が、前記第１対象が所定動作を呈することを示す場合に、前記第１トリガ条件を満たしたと決定する場合を含むことを特徴とする請求項２に記載の方法。
【請求項４】
第１対象の状態情報を検出する前記ステップは、
表示インターフェースに現在表示されている前記第１対象の第２表示状態情報を検出するステップを含み、
前記状態情報が第１トリガ条件を満たした場合に、前記第１トリガ条件に対応するトリガイベントに従って第２対象の表示を変更する前記ステップは、
前記第２表示状態情報が、前記第１トリガ条件を満たしたことを示す場合に、前記第１トリガ条件に対応するトリガイベントに従って前記第２対象の表示を変更するステップを含むことを特徴とする請求項１に記載の方法。
【請求項５】
前記第２表示状態情報が、前記第１トリガ条件を満たしたことを示す場合に、前記第１トリガ条件に対応するトリガイベントに従って前記第２対象の表示を変更する前記ステップは、
前記第２表示状態情報が同期表示トリガ条件を満たした場合に、同期表示トリガイベントに従って前記第１対象と前記第２対象を制御して同期表示させるステップ、及び
前記第２表示状態情報が関連付け表示トリガ条件を満たした場合に、関連付け表示トリガ条件に従って、前記第１対象の表示が特定状態に至ると前記第２対象の表示を開始するステップの中の少なくとも１つを含むことを特徴とする請求項４に記載の方法。
【請求項６】
第１対象の状態情報を検出する前記ステップは、
前記第１対象となる表示デバイスのデバイス状態情報を検出するステップを含み、
前記状態情報が第１トリガ条件を満たす場合は、
前記デバイス状態情報が前記第１トリガ条件を満たす場合を含み、
前記デバイス状態情報は、
前記表示デバイスの現在表示状態を示すデバイス表示状態情報、
前記表示デバイスの現在所在環境を示す環境状態情報、
前記表示デバイスの現在資源状態を示す資源状態情報の中の少なくとも１つを含むことを特徴とする請求項１に記載の方法。
【請求項７】
前記状態情報が第１トリガ条件を満たした場合に、前記第１トリガ条件に対応するトリガイベントに従って第２対象の表示を変更する前記ステップは、
前記状態情報が前記第１トリガ条件を満たした場合に、前記第１トリガ条件に対応するトリガイベントに従って前記第２対象の表示を一時停止するステップを含み、
前記方法は、
再度検出された前記第１対象の状態情報が前記第１トリガ条件を満たさない場合に、一時停止した前記第２対象を表示し続けるステップを更に含むことを特徴とする請求項１〜６のいずれか一項に記載の方法。
【請求項８】
前記第１トリガ条件に対応するトリガイベントに従って第２対象の表示を変更する前記ステップは、
前記トリガイベントに従って前記第２対象の表示の終了を繰り上げるステップ、
又は、前記トリガイベントに従って前記第２対象の表示時間を短縮するステップ、
又は、前記トリガイベントに従って前記第２対象の表示時間を延長するステップ、
又は、前記トリガイベントに従って前記第２対象の表示パラメータを調整するステップ、
又は、前記トリガイベントに従って前記第２対象の表示内容を調整するステップ、
又は、前記トリガイベントに従って前記第２対象の消失方式を調整するステップ、
又は、トリガイベントに従って前記第２対象の表示を一時停止するステップを含むことを特徴とする請求項１〜６のいずれか一項に記載の方法。
【請求項９】
前記第１トリガ条件に対応するトリガイベントに従って第２対象の表示を変更する前記ステップは、
前記第２対象の現在表示されているｎ番目のサブ対象から前記第２対象のｎ＋１番目のサブ対象を表示するように切り替えるように制御するステップを含むことを特徴とする請求項１〜６のいずれか一項に記載の方法。
【請求項１０】
第１対象の状態情報を検出するための検出モジュールと、
前記状態情報が第１トリガ条件を満たす場合を決定するための第１決定モジュールと、
前記状態情報が第１トリガ条件を満たしたことが前記第１決定ユニットによって決定された場合に、前記第１トリガ条件に対応するトリガイベントに従って、前記第１対象とは独立している第２対象の表示を変更するための変更モジュールと、を含むことを特徴とする表示装置。
【請求項１１】
前記状態情報は、表示インターフェースの現在表示状態を示すための第１表示状態情報、及び／又は、画像収集モジュールの現在収集状態を示すための収集状態情報を含み、
前記第１トリガ条件は、前記第１表示状態情報に対応する表示状態トリガ条件、及び／又は、前記収集状態情報に対応する収集状態トリガ条件を含むことを特徴とする請求項１０に記載の装置。
【請求項１２】
前記第１決定モジュールは、具体的には、検出された前記第１表示状態情報が、前記第１対象が表示インターフェースに現れることを示す場合に、前記第１トリガ条件を満たしたと決定するために用いられ、
又は、
前記第１決定モジュールは、具体的には、検出された前記収集状態情報が、前記第１対象が収集領域から消えたことを示す場合に、前記第１トリガ条件を満たしたと決定するために用いられ、
又は、
前記第１決定モジュールは、具体的には、前記状態情報が、前記第１対象が所定動作を呈することを示す場合に、前記第１トリガ条件を満たしたと決定するために用いられることを特徴とする請求項１１に記載の装置。
【請求項１３】
前記検出モジュールは、具体的には、表示インターフェースに現在表示されている前記第１対象の第２表示状態情報を検出するために用いられ、
前記変更モジュールは、具体的には、前記第２表示状態情報が、前記第１トリガ条件を満たしたことを示す場合に、前記第１トリガ条件に対応するトリガイベントに従って前記第２対象の表示を変更するために用いられることを特徴とする請求項１０に記載の装置。
【請求項１４】
前記変更モジュールは、具体的には、前記第２表示状態情報が同期表示トリガ条件を満たした場合に、同期表示トリガイベントに従って前記第１対象と前記第２対象を制御して同期表示させるために用いられ、
又は、
前記変更モジュールは、具体的には、前記第２表示状態情報が関連付け表示トリガ条件を満たした場合に、関連付け表示トリガ条件に従って、前記第１対象の表示が特定状態に至ると前記第２対象の表示を開始するために用いられることを特徴とする請求項１３に記載の装置。
【請求項１５】
前記検出モジュールは、具体的には、前記第１対象となる表示デバイスのデバイス状態情報を検出するために用いられ、
前記第１決定モジュールは、具体的には、前記デバイス状態情報が前記第１トリガ条件を満たしたことを決定するために用いられ、
前記デバイス状態情報は、
前記表示デバイスの現在表示状態を示すデバイス表示状態情報、
前記表示デバイスの現在所在環境を示す環境状態情報、
前記表示デバイスの現在資源状態を示す資源状態情報の中の少なくとも１つを含むことを特徴とする請求項１０に記載の装置。
【請求項１６】
前記変更モジュールは、具体的には、前記状態情報が前記第１トリガ条件を満たした場合に、前記第１トリガ条件に対応するトリガイベントに従って前記第２対象の表示を一時停止するために用いられ、
前記変更モジュールは、更に、再度検出された第１対象の状態情報が前記トリガ条件を満たさない場合に、一時停止した前記第２対象を表示し続けるために用いられることを特徴とする請求項１０〜１５のいずれか一項に記載の装置。
【請求項１７】
前記変更モジュールは、具体的には、前記トリガイベントに従って前記第２対象の表示の終了を繰り上げるために用いられ、
又は、前記変更モジュールは、具体的には、前記トリガイベントに従って前記第２対象の表示時間を短縮するために用いられ、
又は、前記変更モジュールは、具体的には、前記トリガイベントに従って前記第２対象の表示時間を延長するために用いられ、
又は、前記変更モジュールは、具体的には、前記トリガイベントに従って前記第２対象の表示パラメータを調整するために用いられ、
又は、前記変更モジュールは、具体的には、前記トリガイベントに従って前記第２対象の表示内容を調整するために用いられ、
又は、前記変更モジュールは、具体的には、前記トリガイベントに従って前記第２対象の消失方式を調整するために用いられ、
又は、前記変更モジュールは、具体的には、トリガイベントに従って前記第２対象の表示を一時停止するために用いられることを特徴とする請求項１０〜１５のいずれか一項に記載の装置。
【請求項１８】
前記変更モジュールは、具体的には、前記トリガ条件を満たした場合に、前記第２対象の現在表示されているｎ番目のサブ対象から前記第２対象のｎ＋１番目のサブ対象を表示するように切り替えるように制御するために用いられることを特徴とする請求項１０〜１５のいずれか一項に記載の装置。
【請求項１９】
ディスプレイと、
メモリと、
それぞれ前記ディスプレイと前記メモリに接続され、メモリにあるコンピュータ実行可能コマンドを実行することで前記ディスプレイとメモリの作動を制御するために用いられ、請求項１〜９のいずれか一項で提供された方法を実現可能であるプロセッサと、を含むことを特徴とする表示デバイス。
【請求項２０】
コンピュータ実行可能コマンドが記憶されているコンピュータ記憶媒体であって、前記コンピュータ実行可能コマンドが実行されるとき、請求項１〜９のいずれか一項で提供された方法を実現可能であるコンピュータ記憶媒体。
【請求項２１】
コンピュータに、請求項１〜９のいずれか一項に記載の方法を実行させるためのコンピュータプログラム。
【国際調査報告】
2021517285.tif 000013
2021517285.tif 000014
2021517285.tif 000015
2021517285.tif 000016